(57)【要約】【課題】ローンを利用しての商取引を希望するユーザに対して、ローン負担に関する情報を効率的に提供し、迅速な取引の機会を提供する。【解決手段】ユーザは、ローンシミュレーションを行なう場合に用いるローン条件をローン条件データ記憶部２２に登録する。次に、ユーザ端末１０を用いて所望の商品を検索する。ローンを利用しての入札を行なう場合、ユーザ端末１０はローン入札要求をローン管理システム２０に送信する。この場合、管理コンピュータ２１は、金利情報及びユーザが設定したローン条件を用いてローンシミュレーションを行ない、現在価格や最低入札可能価格等に対する返済月額等を算出し、ユーザ端末１０に送信する。また、入札価格変更要求を受信した場合には、入札単位条件に合致したローン入札価格をユーザ端末１０に送信する。【選択図】　　　図１
2004145425.tif 000002
【特許請求の範囲】
【請求項１】
ユーザに提供するローンの条件に関するデータを記録したローン条件データ記憶手段と管理コンピュータとを用いて、取引の支援を行なう方法であって、
前記管理コンピュータが、
前記ユーザが指定した商品に関する価格情報を取得する段階と、
前記ローン条件データ記憶手段に記録されたローン条件を抽出し、前記価格情報に基づいてローン返済額を算出する段階と、
前記ローン返済額を前記ユーザに提示するための処理を実行する段階と
を有することを特徴とする取引支援方法。
【請求項２】
前記取引支援方法は、
前記管理コンピュータが、最新の金利に関する情報を取得する段階をさらに有し、
前記ローン返済額の算出は、前記金利を用いて行なうことを特徴とする請求項１に記載の取引支援方法。
【請求項３】
前記取引支援方法は、
前記管理コンピュータが、前記ユーザの指示に基づいて、前記商品の購入のための処理を実行する段階をさらに有することを特徴とする請求項１又は２に記載の取引支援方法。
【請求項４】
前記価格情報は、前記商品の現在価格に関する情報であることを特徴とする請求項１〜３のいずれか１項に記載の取引支援方法。
【請求項５】
前記価格情報は、前記商品に対する入札可能価格に関する情報であることを特徴とする請求項１〜４のいずれか１項に記載の取引支援方法。
【請求項６】
前記入札可能価格は、前記商品の現在価格に入札単位額を加算した価格であることを特徴とする請求項１〜５のいずれか１項に記載の取引支援方法。
【請求項７】
ユーザに提供するローンの条件に関するデータを記録したローン条件データ記憶手段と管理コンピュータとを用いて、取引の支援を行なう方法であって、
前記管理コンピュータが、
前記ユーザに対してローン分割返済額の入力を促す段階と、
前記ローン条件データ記憶手段に記録されたローン条件を用いて、前記ローン分割返済額に対応する借入金額を算出する段階と、
前記借入金額が、前記ユーザが指定した商品に対応する入札価格条件に合致しない場合には、前記借入金額に近接し、入札価格条件に合致する入札価格を算出し、前記ユーザに提示するための処理を実行する段階と
を有することを特徴とする取引支援方法。
【請求項８】
ユーザに提供するローンの条件に関するデータを記録したローン条件データ記憶手段と管理コンピュータとを用いて、取引の支援を行なうプログラムであって、
前記管理コンピュータを、
前記ユーザが指定した商品に関する価格情報を取得する手段と、
前記ローン条件データ記憶手段に記録されたローン条件を抽出し、前記価格情報に基づいてローン返済額を算出する手段と、
前記ローン返済額を前記ユーザに提示するための処理を実行する手段
として機能させることを特徴とする取引支援プログラム。
【請求項９】
前記取引支援プログラムは、
前記管理コンピュータを、最新の金利に関する情報を取得する手段としてさらに機能させ、
前記ローン返済額の算出は、前記金利を用いて行なうことを特徴とする請求項８に記載の取引支援プログラム。
【請求項１０】
前記取引支援プログラムは、
前記管理コンピュータを、前記ユーザの指示に基づいて、前記商品の購入のための処理を実行する手段として、さらに機能させることを特徴とする請求項８又は９に記載の取引支援プログラム。
【請求項１１】
前記価格情報は、前記商品の現在価格に関する情報であることを特徴とする請求項８〜１０のいずれか１項に記載の取引支援プログラム。
【請求項１２】
前記価格情報は、前記商品に対する入札可能価格に関する情報であることを特徴とする請求項８〜１１のいずれか１項に記載の取引支援プログラム。
【請求項１３】
前記入札可能価格は、前記商品の現在価格に入札単位額を加算した価格であることを特徴とする請求項８〜１２のいずれか１項に記載の取引支援プログラム。
【請求項１４】
ユーザに提供するローンの条件に関するデータを記録したローン条件データ記憶手段と管理コンピュータとを用いて、取引の支援を行なうプログラムであって、
前記管理コンピュータを、
前記ユーザに対してローン分割返済額の入力を促す手段と、
前記ローン条件データ記憶手段に記録されたローン条件を用いて、前記ローン分割返済額に対応する借入金額を算出する手段と、
前記借入金額が、前記ユーザが指定した商品に対応する入札価格条件に合致しない場合には、前記借入金額に近接し、入札価格条件に合致する入札価格を算出し、前記ユーザに提示するための処理を実行する手段
として機能させることを特徴とする取引支援プログラム。
【発明の詳細な説明】
【０００１】
【発明の属する技術分野】
本発明は、電子商取引に係り、特にインターネット等の通信ネットワークを介して取引を行なう場合に用いる取引支援方法及び取引支援プログラムに関するものである。
【０００２】
【従来の技術】
今日、インターネット等のネットワークを介して、多様な商品やサービスが提供されている。このようなネットワークを利用してユーザは商品を選択し、注文を行なうことができる電子商取引が行なわれている。この電子商取引の一形態としてインターネット上でのオークションが行われている（例えば、非特許文献１参照。）。
【０００３】
オークションにおいては、まず、出品しようとする者（売手）が、出品情報（商品情報）をオークションの主催者に提供する。この出品情報は、オークション主催者のサーバによって公開される。オークション参加者は、オークション主催者のサーバをアクセスし、自分が購入したい商品があった時には、希望価格を示して入札を行なう。そして、入札期間終了時に、最高入札価格を提示した落札者を決定する。そして、落札者は落札価格代金を出品者に支払うことにより商品等を受け取る。
【０００４】
このように、電子商取引においては、多くのユーザに商品情報を提供することができる。特に、オークションでは、画一的な商品取引と異なり、多様な商品を扱うので、参加者（売手や買手）を多くする必要がある。従って、インターネット上のオークションでは、地理的不利益を是正し、多くの参加者に商取引の機会を与えることにより活発な取引を促進することができる。また、多くの参加者に競り合わせることにより、出品者は、より有利な価格で取引を行なうことができる。
【０００５】
【非特許文献１】
インターネットビジネス研究会著，「インターネットビジネス白書２００１」ソフトバンクパブリッシング株式会社，２０００年１２月１日，Ｐ．６４−６５
【０００６】
【発明が解決しようとする課題】
通常、電子商取引における商品代金は、口座振込や商品受取時払等を利用して支払われる。しかし、取引される商品の中には、比較的高額な商品も含まれ、代金を一括して支払うことが困難な場合もある。この点は、オークションに提供される商品においても同様である。
【０００７】
しかし、ローンを利用した場合のユーザの負担（例えば、返済額）を把握するためには、所定の計算を行なう必要があり、そのための計算時間を要する。一方、オークション等における取引においては、その価格（オークションでは入札価格）が変動するため、迅速な判断が必要である。例えば、同一価格について複数の入札があった場合、より早く入札した者が落札することができるため、返済額を計算している間に入札の機会を逸する可能性もある。
【０００８】
本発明は、上記問題点を解決するためになされたものであり、その目的は、ローンしての商取引を希望するユーザに対して、ローン負担に関する情報を効率的に提供し、迅速な取引の機会を提供することができる取引支援方法及び取引支援プログラムを提供することにある。
【０００９】
【課題を解決するための手段】
上記問題点を解決するために、請求項１に記載の発明は、ユーザに提供するローンの条件に関するデータを記録したローン条件データ記憶手段と管理コンピュータとを用いて、取引の支援を行なう方法であって、前記管理コンピュータが、前記ユーザが指定した商品に関する価格情報を取得する段階と、前記ローン条件データ記憶手段に記録されたローン条件を抽出し、前記価格情報に基づいてローン返済額を算出する段階と、前記ローン返済額を前記ユーザに提示するための処理を実行する段階とを有することを要旨とする。
【００１０】
請求項２に記載の発明は、請求項１に記載の取引支援方法において、前記取引支援方法は、前記管理コンピュータが、最新の金利に関する情報を取得する段階をさらに有し、前記ローン返済額の算出は、前記金利を用いて行なうことを要旨とする。
【００１１】
請求項３に記載の発明は、請求項１又は２に記載の取引支援方法において、前記取引支援方法は、前記管理コンピュータが、前記ユーザの指示に基づいて、前記商品の購入のための処理を実行する段階をさらに有することを要旨とする。
【００１２】
請求項４に記載の発明は、請求項１〜３のいずれか１項に記載の取引支援方法において、前記価格情報は、前記商品の現在価格に関する情報であることを要旨とする。
【００１３】
請求項５に記載の発明は、請求項１〜４のいずれか１項に記載の取引支援方法において、前記価格情報は、前記商品に対する入札可能価格に関する情報であることを要旨とする。
【００１４】
請求項６に記載の発明は、請求項１〜５のいずれか１項に記載の取引支援方法において、前記入札可能価格は、前記商品の現在価格に入札単位額を加算した価格であることを要旨とする。
【００１５】
請求項７に記載の発明は、ユーザに提供するローンの条件に関するデータを記録したローン条件データ記憶手段と管理コンピュータとを用いて、取引の支援を行なう方法であって、前記管理コンピュータが、前記ユーザに対してローン分割返済額の入力を促す段階と、前記ローン条件データ記憶手段に記録されたローン条件を用いて、前記ローン分割返済額に対応する借入金額を算出する段階と、前記借入金額が、前記ユーザが指定した商品に対応する入札価格条件に合致しない場合には、前記借入金額に近接し、入札価格条件に合致する入札価格を算出し、前記ユーザに提示するための処理を実行する段階とを有することを要旨とする。
【００１６】
請求項８に記載の発明は、ユーザに提供するローンの条件に関するデータを記録したローン条件データ記憶手段と管理コンピュータとを用いて、取引の支援を行なうプログラムであって、前記管理コンピュータを、前記ユーザが指定した商品に関する価格情報を取得する手段と、前記ローン条件データ記憶手段に記録されたローン条件を抽出し、前記価格情報に基づいてローン返済額を算出する手段と、前記ローン返済額を前記ユーザに提示するための処理を実行する手段として機能させることを要旨とする。
【００１７】
請求項９に記載の発明は、請求項８に記載の取引支援プログラムにおいて、前記取引支援プログラムは、前記管理コンピュータを、最新の金利に関する情報を取得する手段としてさらに機能させ、前記ローン返済額の算出は、前記金利を用いて行なうことを要旨とする。
【００１８】
請求項１０に記載の発明は、請求項８又は９に記載の取引支援プログラムにおいて、前記取引支援プログラムは、前記管理コンピュータを、前記ユーザの指示に基づいて、前記商品の購入のための処理を実行する手段として、さらに機能させることを要旨とする。
【００１９】
請求項１１に記載の発明は、請求項８〜１０のいずれか１項に記載の取引支援プログラムにおいて、前記価格情報は、前記商品の現在価格に関する情報であることを要旨とする。
【００２０】
請求項１２に記載の発明は、請求項８〜１１のいずれか１項に記載の取引支援プログラムにおいて、前記価格情報は、前記商品に対する入札可能価格に関する情報であることを要旨とする。
【００２１】
請求項１３に記載の発明は、請求項８〜１２のいずれか１項に記載の取引支援プログラムにおいて、前記入札可能価格は、前記商品の現在価格に入札単位額を加算した価格であることを要旨とする。
【００２２】
請求項１４に記載の発明は、ユーザに提供するローンの条件に関するデータを記録したローン条件データ記憶手段と管理コンピュータとを用いて、取引の支援を行なうプログラムであって、前記管理コンピュータを、前記ユーザに対してローン分割返済額の入力を促す手段と、前記ローン条件データ記憶手段に記録されたローン条件を用いて、前記ローン分割返済額に対応する借入金額を算出する手段と、前記借入金額が、前記ユーザが指定した商品に対応する入札価格条件に合致しない場合には、前記借入金額に近接し、入札価格条件に合致する入札価格を算出し、前記ユーザに提示するための処理を実行する手段として機能させることを要旨とする。
【００２３】
（作用）
請求項１又は８に記載の発明によれば、ユーザに提供するローンの条件に関するデータを記録したローン条件データ記憶手段と管理コンピュータとを用いる。そして、前記管理コンピュータが、前記ユーザが指定した商品に関する価格情報を取得する。次に、前記ローン条件データ記憶手段に記録されたローン条件を抽出し、前記価格情報に基づいてローン返済額を算出する。さらに、前記ローン返済額を前記ユーザに提示するための処理を実行する。このため、商品に関する価格はローン利用時の負担（ローン返済額）に変換される。従って、ユーザはローンを利用した場合の負担を効率的に把握でき、迅速に取引判断を行なうことができる。
【００２４】
請求項２又は９に記載の発明によれば、前記管理コンピュータが、最新の金利に関する情報を取得する。そして、前記ローン返済額の算出は、最新の金利を用いて行なう。金利は時間とともに変動する場合においても、より適切な金利を用いてローン返済額の算出を行なうことができる。従って、ユーザはローンを利用した場合の負担を、より適切に判断することができる。
【００２５】
請求項３又は１０に記載の発明によれば、管理コンピュータが、前記ユーザの指示に基づいて、前記商品の購入のための処理を実行する。このため、ユーザは効率的に取引を行なうことができる。
【００２６】
請求項４又は１１に記載の発明によれば、前記価格情報は、前記商品の現在価格に関する情報である。このため、現在価格はローン返済額に変換されるので、ユーザはローンを利用した場合の負担を効率的に把握することができる。
【００２７】
請求項５又は１２に記載の発明によれば、前記価格情報は、前記商品に対する入札可能価格に関する情報である。このため、入札可能価格はローン返済額に変換されるので、入札を希望するユーザはローンを利用した場合の負担を効率的に把握することができる。
【００２８】
請求項６又は１３に記載の発明によれば、前記入札可能価格は、前記商品の現在価格に入札単位額を加算した価格である。このため、オークションのように、入札価格に対して入札単位金額が設定されている場合においても、入札可能価格に対するローン利用時の負担を把握することができる。
【００２９】
請求項７又は１４に記載の発明によれば、前記管理コンピュータが、前記ユーザに対してローン分割返済額の入力を促す。次に、前記ローン条件データ記憶手段に記録されたローン条件を用いて、前記ローン分割返済額に対応する借入金額を算出する。さらに、前記借入金額が、前記ユーザが指定した商品に対応する入札価格条件に合致しない場合には、前記借入金額に近接し、入札価格条件に合致する入札価格を算出し、前記ユーザに提示するための処理を実行する。このため、ユーザが負担可能なローン分割返済額を入力することにより、入札可能な価格に変換される。効率的に、ユーザの希望に対応した入札を行なう機会を提供できる。
【００３０】
【発明の実施の形態】
以下、本発明を具体化した一実施形態を、図１〜図１４に従って説明する。本実施形態では、インターネット上で実施されるオークションに参加するユーザに対して入札を支援する場合に用いる取引支援方法及び取引支援プログラムとして説明する。このオークションへの入札は、金融機関によって提供されるローンを利用して行なわれる。
【００３１】
本実施形態では、ユーザは、図１に示すように、ネットワークとしてのインターネットＩに接続可能なユーザ端末１０を用いる。そして、このインターネットＩには、オークション管理システム３０やローン管理システム２０が接続されている。
【００３２】
ユーザ端末１０は、オークションの参加者であるユーザの使用するコンピュータ端末である。ユーザ端末１０は、図示しない制御手段、記憶手段、キーボード、マウス等の入力手段、ディスプレイ等の出力手段、モデム等の通信手段等を備える。
【００３３】
オークション管理システム３０は、オークション主催者が管理するコンピュータシステムである。このオークション管理システム３０は、図示しない制御手段、記憶手段や通信手段等を備える。そして、このオークション管理システム３０は、オークションへの出品情報の公開、入札や落札に関する情報の管理を行なうための機能を備える。
【００３４】
ローン管理システム２０は、ローンに関する情報の管理を行なう金融機関のコンピュータシステムである。ローン管理システム２０は、図１に示すように管理コンピュータ２１を備えている。管理コンピュータ２１は、図示しない制御手段（ＣＰＵ）、記憶手段（ＲＡＭ、ＲＯＭ、ハードディスク等）、入出力手段やデータ送受信手段等を有する。この管理コンピュータ２１は、ローン管理に関して後述する処理手順（価格情報を取得する段階、ローン返済額を算出する段階、ローン返済額を提示するための処理を実行する段階、最新の金利に関する情報を取得する段階、商品の購入のための処理を実行する段階等）のための取引支援プログラムを実行する。これにより、管理コンピュータ２１は、各手段（価格情報を取得する手段、ローン返済額を算出する手段、ローン返済額を提示するための処理を実行する手段、最新の金利に関する情報を取得する手段、商品の購入のための処理を実行する手段等）として機能する。
【００３５】
さらに、ローン管理システム２０は、図１に示すように、ローン条件データ記憶手段としてのローン条件データ記憶部２２を有する。ローン条件データ記憶部２２には、図２に示すように、ユーザが希望するローンの設定条件に関するローン条件データ２２０が記録される。そして、このローン条件は、ローンシミュレーションを行なう場合に用いられる。このローン条件データ２２０は、ユーザがローン条件の設定登録を行なった場合に記録される。ローン条件データ２２０には、ユーザ毎に、ユーザ識別子、返済期間、ボーナス返済額、返済方法フラグ及び返済開始月に関するデータが含まれる。
【００３６】
ユーザ識別子データ領域には、ローンを利用してオークションに参加するユーザを特定するために、ユーザ毎に割り振られた識別子に関するデータが記録される。
【００３７】
返済期間データ領域には、ローンの返済を行なう借入期間に関するデータが記録される。この返済期間は、例えば「３６ヶ月」のように月単位で設定することができる。
【００３８】
ボーナス返済額データ領域には、ユーザがボーナス等を利用して増額返済を行なう場合の金額に関するデータが記録される。なお、増額返済を行なわない場合には、このデータ領域は空欄とする。
【００３９】
返済方法フラグデータ領域には、返済方法を特定するためのフラグが記録される。本実施形態では、返済方法として元利均等返済方法又は元金均等返済方法の２つの方法から選択することができる。ここで、元利均等返済とは、原則として、毎回元金と利息の合計（返済額）が同じ金額になるように返済していく方法である。一方、元金均等返済とは、毎回、一定額の元金を返済する方法である。返済開始月データ領域には、ローンの返済を開始する月に関するデータが記録される。
【００４０】
次に、上記のように構成されたシステムにおいて、ユーザのオークション参加を支援する場合の手順を説明する。ここでは、ローン条件の登録段階、オークション入札段階の順に説明する。
【００４１】
（ローン条件の登録段階）
ローンを利用してのオークション参加を希望するユーザは、まずローン条件の登録を行なう。この登録段階の手順を、図３を用いて説明する。まず、ユーザは、ユーザ端末１０を用いてローン管理システム２０にアクセスする（Ｓ１−１）。このアクセスはインターネットＩを介して行なわれる。そして、ユーザ端末１０を用いてローン条件の設定要求を行なう。
【００４２】
この場合、ローン管理システム２０は、ローン条件の設定を行なうためのウェブページをユーザ端末１０に送信する（Ｓ１−２）。このウェブページを受信したユーザ端末１０のディスプレイには、図８に示す表示画面１００が出力される。この表示画面１００には、返済期間入力欄１０１、ボーナス返済選択欄１０２、ボーナス返済額入力欄１０３、返済方法選択ボタン１０４及び返済開始月選択ボタン１０５が含まれる。本実施形態では、返済期間を３６ヶ月、ボーナス返済は行なわず、元利均等返済方式を用いて返済を行なう場合を想定する。
【００４３】
表示画面１００においてローン条件の各項目の入力を完了した場合には、ローン条件の登録ボタン１０６を選択（クリック）する。この場合、ユーザ端末１０は、入力されたローン条件に関するデータを、インターネットＩを介してローン管理システム２０に送信する（Ｓ１−３）。
【００４４】
このデータを受信した管理コンピュータ２１は、ローン条件の各項目のデータを、ローン条件データ記憶部２２に記録する（Ｓ１−４）。この場合、管理コンピュータ２１は、ローン条件データ２２０に、データ送信者であるユーザのユーザ識別子を含めて記録する。以上により、ローン条件の登録段階を終了する。
【００４５】
（オークション入札段階）
次に、オークションの入札段階の手順を、図４を用いて説明する。ここでは、ユーザは、ユーザ端末１０を用いてオークション管理システム３０にアクセスする（Ｓ２−１）。この場合、オークション管理システム３０は、ユーザ端末１０に対してオークションに出品された商品一覧ウェブページを提供する。ユーザは、商品一覧ウェブページを利用して、所望の商品を検索する。そして、所望の商品を見つけた場合には、オークション管理システム３０に対してオークションへの入札要求を送信する。本実施形態では、ユーザは、商品「ノートパソコン」に対して入札を行なう場合を想定する。
【００４６】
入札要求を受信したオークション管理システム３０は、オークション入札を行なうためのウェブページをユーザ端末１０に送信する（Ｓ２−２）。この場合、ユーザ端末１０のディスプレイには、図９に示す表示画面１１０が出力される。この表示画面１１０には、詳細情報表示ボタン１１１、商品情報表示欄１１２及び入札履歴表示ボタン１１３が含まれる。詳細情報表示ボタン１１１が選択された場合、商品（ここでは、ノートパソコン）の詳細な仕様等が表示される。商品情報表示欄１１２には、「現在の価格」、「残り時間」、「最高額入札者」、「数量」、「入札件数」、「開始価格」、「入札単位」及び「終了日時」に関する情報が含まれる。ここで、「現在の価格」欄には、入札された中で最高の金額が表示される。従って、新たに入札を行なう場合には、これより高い入札価格を用いる必要がある。「残り時間」欄には、入札終了時刻までの概略時間が表示される。「最高額入札者」欄には、最高額で入札した者の氏名やニックネームが表示される。「数量」欄には、出品者が提供する商品の個数が表示される。「入札件数」欄には、これまでに入札が行なわれた回数が表示される。
【００４７】
「開始価格」欄には、出品者が設定した最低入札価格が表示される。「入札単位」欄には、入札を行なう場合に加算する単位金額が表示される。従って、入札を行なう場合は、「現在の価格」に「入札単位」の整数倍を加算した価格を用いる。「終了日時」欄には、この出品に関するオークションへの入札可能期間を終了時刻が表示される。
【００４８】
また、入札履歴表示ボタン１１３は、この出品に対する入札の履歴を、時系列に表示させる場合に用いる。
さらに、表示画面１１０には、通常入札ボタン１１４及びローン入札ボタン１１５が含まれる。通常入札ボタン１１４が選択された場合、入札を行なうための画面が表示される。この画面には入札価格欄を含まれ、これを用いて入札を行なうことができる。一方、ローン入札ボタン１１５が選択された場合には、ローンを利用して入札するための画面が表示される。
【００４９】
ここでは、ローンを利用しての入札を行なうため、ローン入札ボタン１１５を選択する。この場合、ユーザ端末１０は、インターネットＩを介してローン入札要求をオークション管理システム３０に送信する（Ｓ２−３）。
【００５０】
オークション管理システム３０は、ローン管理システム２０にローン入札要求を転送する（Ｓ２−４）。この場合、オークション管理システム３０は、ローン入札要求に、現在の価格、入札単位に関する情報を含める。さらに、オークション管理システム３０は、ローン入札要求を行なったユーザを識別するため情報としてユーザ識別子を、ローン管理システム２０に提供する。
【００５１】
ローン入札要求を受信したローン管理システム２０は、ユーザが設定したローン条件を、ローン条件データ記憶部２２から読み出す（Ｓ２−５）。さらに、管理コンピュータ２１は、所定の記憶部から貸出金利に関する情報を取得する（Ｓ２−６）。この記憶部には、貸出金利が改定された場合に最新の金利が記録される。本実施形態では、金利として「５．２７５％」を想定する。
【００５２】
次に、管理コンピュータ２１は、現在価格の表示処理を実行する（Ｓ２−７）。この処理を、図５に従って説明する。まず、管理コンピュータ２１は、現在価格を借入金額と想定して、金利情報及びユーザが設定したローン条件を用いてローンシミュレーションを行なう（Ｓ３−１）。このローンシミュレーションにより、ローン返済額としての返済月額、返済総額が算出される。
【００５３】
そして、管理コンピュータ２１は、算出したシミュレーション結果をユーザ端末１０に送信する（Ｓ３−２）。シミュレーション結果を受信したユーザ端末１０のディスプレイには、図１０に示す表示画面１２０が出力される。この表示画面１２０には、現在の価格、現在の金利、ローンシミュレーションにより得られた返済総額、返済月額に関する情報が含まれる。表示画面１２０には、さらにローン設定条件変更ボタン１２１及び入札可能価格表示ボタン１２２が設けられている。
【００５４】
ローン設定条件変更ボタン１２１が選択された場合、ユーザ端末１０のディスプレイには表示画面１００が表示される。この表示画面１００を用いて、ユーザはローン条件の設定変更を行なうことができる。そして、登録ボタン１０６が選択された場合、ユーザ端末１０は、入力されたローン条件に関するデータをローン管理システム２０に送信する。そして、ローン管理システム２０は、受信したローン条件に関するデータを用いてローン条件データ２２０を更新する。
【００５５】
また、入札可能価格表示ボタン１２２が選択された場合、ユーザ端末１０は、ローン管理システム２０に対して入札可能価格表示要求を送信する。入札可能価格表示要求を受信した管理コンピュータ２１は、最低入札可能価格算出処理を実行する（Ｓ２−８）。この処理を図６に従って説明する。まず、管理コンピュータ２１は入札可能な最低価格（最低入札可能価格）を算出する（Ｓ４−１）。この最低入札可能価格は、開始価格又は現在の価格（最高入札価格）の高い金額に、入札単位を加算して算出する。
【００５６】
そして、管理コンピュータ２１は、最低入札可能価格に関するローンシミュレーションを行なう（Ｓ４−２）。具体的には、最低入札可能価格を借入金額と想定して、金利情報及びユーザが設定したローン条件を用いてローンシミュレーションを行なう。このローンシミュレーションにより、返済月額、返済総額が算出される。
【００５７】
そして、管理コンピュータ２１は、算出したシミュレーション結果をユーザ端末１０に送信する（Ｓ４−３）。シミュレーション結果を受信したユーザ端末１０のディスプレイには、図１１に示す表示画面１３０が出力される。この表示画面１３０には、入札可能価格（最低入札可能価格）、現在の金利、ローンシミュレーションにより得られた返済総額、返済月額に関する情報が含まれる。表示画面１３０には、さらにローン設定条件変更ボタン１３１及びローン入札価格変更ボタン１３２が設けられている。ユーザは、ローン設定条件変更ボタン１３１を選択することにより表示画面１００を表示させ、ローン条件の設定変更を行なうことができる。
【００５８】
ローン入札価格変更ボタン１３２が選択された場合、ユーザ端末１０のディスプレイには、図１２に示す表示画面１４０が出力される。この表示画面１４０には、ローン入札価格入力欄１４１が含まれる。このローン入札価格入力欄１４１には、オークション入札に対して返済可能な返済月額の目安（ローン分割返済額）を入力する。表示画面１４０には、さらにローン設定条件変更ボタン１４２及びローンシミュレーション実行ボタン１４３が設けられている。ユーザは、ローン設定条件変更ボタン１４２を選択することにより表示画面１００を表示させ、ローン条件の設定変更を行なうことができる。
【００５９】
ローンシミュレーション実行ボタン１４３が選択された場合、ユーザ端末１０はローン管理システム２０に対して入札価格変更要求を送信する。この入札価格変更要求は、ローン入札価格入力欄１４１に入力されたローン入札価格に関するデータを含む。
【００６０】
入札価格変更要求を受信した管理コンピュータ２１は、入札価格変更処理を実行する（Ｓ２−９）。この処理を図７に従って説明する。まず、管理コンピュータ２１は、受信したローン入札価格（返済月額）に基づいて入札価格を算出する（Ｓ５−１）。この入札価格は、ローン入札価格として設定された金額を毎月返済した場合の借入金額として算出できる。
【００６１】
次に、管理コンピュータ２１は、入札価格（借入金額）が、入札価格条件としての入札単位条件に一致しているかどうかを確認する（Ｓ５−２）。具体的には、借入金額が、開始価格に入札単位の整数倍を加算した金額になっているかどうかを確認する。入札価格（借入金額）が入札単位条件に合致している場合（ステップ（Ｓ５−２）において「Ｙｅｓ」の場合）、管理コンピュータ２１は、このローン入札価格で入札可能であることをユーザ端末１０に通知する。例えば、ローン入札価格として「９０２８円」を用いた場合、借入金額（入札価格）は３０万円になり、入札単位条件に合致する。この場合、ユーザ端末１０のディスプレイには、図１３に示す表示画面１５０が出力される。表示画面１５０には、入札実行ボタン１５２、ローン入札価格変更ボタン１５３及びローン設定条件変更ボタン１５４が設けられている。このローン入札価格で入札を行なう場合は、入札実行ボタン１５２を選択する。一方、ローン入札価格変更ボタン１５３が選択された場合、表示画面１４０が再度表示され、ローン入札価格を変更することができる。また、ローン設定条件変更ボタン１５４を選択することにより表示画面１００を表示させ、ローン条件の設定変更を行なうことができる。
【００６２】
一方、入札価格（借入金額）が入札単位条件に合致していない場合（ステップ（Ｓ５−２）において「Ｎｏ」の場合）、管理コンピュータ２１は、算出した借入金額に近似した金額であって、入札可能な価格（近似入札可能価格）を算出する（Ｓ５−３）。例えば、ローン入札価格として「９０００円」を用いる場合、入札単位条件に合致しない。そこで、返済月額を「９０００円」とした場合の借入金額を計算し、その前後の入札可能価格を特定する。ここでは、近似入札可能価格として「２９万円」及び「３０万円」が算出される。
【００６３】
次に、管理コンピュータ２１は、近似入札可能価格を借入金額と想定してローンシミュレーションを行ない、返済月額、返済総額を算出する（Ｓ５−４）。そして、管理コンピュータ２１は算出したローンシミュレーション結果を、インターネットＩを介してユーザ端末１０に送信する（Ｓ５−５）。この場合、ユーザ端末１０のディスプレイには、図１４に示す表示画面１６０が出力される。この表示画面１６０には、入札可能価格とともに返済月額、返済総額に関する情報が出力される。そして、返済月額に対応して選択ボタン１６１が表示される。さらに、表示画面１６０には、入札実行ボタン１６２、ローン入札価格変更ボタン１６３及びローン設定条件変更ボタン１６４が設けられている。入札を行なう場合、選択ボタン１６１を用いて入札価格を選択し、入札実行ボタン１６２を選択する。
【００６４】
一方、ローン入札価格変更ボタン１６３が選択された場合、表示画面１４０が再度表示され、ローン入札価格を変更することができる。また、ローン設定条件変更ボタン１６４が選択された場合、表示画面１００が表示され、ローン条件を変更することができる。
【００６５】
入札実行ボタン１５２や入札実行ボタン１６２を用いて、入札を行なった場合、ユーザ端末１０は、インターネットＩを介して、入札要求をオークション管理システム３０及びローン管理システム２０に送信する（Ｓ２−１０）。この入札要求には入札価格が含まれる。そして、入札要求を受信したオークション管理システム３０は、この入札の登録を行なう（Ｓ２−１１）。さらに、入札要求を受信したローン管理システム２０も、この入札の登録を行なう（Ｓ２−１２）。そして、落札が行なわれた場合、ユーザにローンが提供される。
【００６６】
以上、本実施形態によれば、以下に示す効果を得ることができる。
・　上記実施形態では、ローン管理システム２０はローン条件データ記憶部２２を有する。ローン条件データ記憶部２２には、ユーザが希望するローンの設定条件に関するローン条件データ２２０が記録される。ユーザ毎にローン条件が予め登録されているため、管理コンピュータ２１は、ローン条件データ記憶部２２に記録されたローン条件を用いて、ローンシミュレーションを行ない、返済月額や返済総額を算出することができる。
【００６７】
・　上記実施形態では、ローン入札要求を受信したローン管理システム２０は現在価格の表示処理を実行する。この場合、管理コンピュータ２１は、受信した現在価格を借入金額と想定して、金利情報及びユーザが設定したローン条件を用いてローンシミュレーションを行なう。そして、管理コンピュータ２１は、算出したシミュレーション結果をユーザ端末１０に送信する。このシミュレーション結果にはローン返済に関する情報（返済月額や返済総額等）が含まれるので、ユーザはローンを利用する場合の負担を効率的に把握できる。特に、オークションの途中では価格が変動し、毎回計算していると入札の機会を逸する可能性がある。現在の価格はローンシミュレーションにより返済総額、返済月額に変換され、ユーザ端末１０のディスプレイに表示されるため、ユーザは迅速に入札の検討や判断を行なうことができる。
【００６８】
・　上記実施形態では、入札可能価格表示要求を受信したローン管理システム２０は最低入札可能価格算出処理を実行する。この場合、管理コンピュータ２１は、入札単位を用いて最低入札可能価格を算出する。そして最低入札可能価格を借入金額と想定して、金利情報及びユーザが設定したローン条件を用いてローンシミュレーションを行なう。そして、管理コンピュータ２１は、算出したシミュレーション結果をユーザ端末１０に送信する。このシミュレーション結果には入札を行なう場合のローン返済に関する情報（返済月額や返済総額等）が含まれるので、ユーザはローンを利用する場合の負担を効率的に把握できる。特に、オークションのルール（入札単位の条件）に合致した入札可能価格を返済総額や返済月額に変換される。そして、これらの結果はユーザ端末１０のディスプレイに表示されるため、価格変動があるオークションにおいても、ユーザは迅速に入札の検討や判断を行なうことができる。
【００６９】
・　上記実施形態では、入札価格変更要求を受信した管理コンピュータ２１は、入札価格変更処理を実行する。この場合、管理コンピュータ２１は、ローン入札価格（返済月額）に基づいて入札価格を算出する。そして、管理コンピュータ２１は、入札価格（借入金額）が入札単位条件に一致しているかどうかを確認する。このためオークションのルール（入札単位の条件）に合致した入札を行なうことができる。
【００７０】
さらに、入札価格（借入金額）が入札単位条件に合致していない場合、管理コンピュータ２１は、算出した借入金額に近似した金額であって、入札可能な価格（近似入札可能価格）を算出する。ユーザは近似入札可能価格を選択することにより、オークションのルールに合致し、自身の返済負担を考慮した入札を行なうことができる。
【００７１】
なお、上記実施形態は、以下の態様に変更してもよい。
・　上記実施形態では、商品（ノートパソコン）のオークションの入札に利用したが、他の電子商取引に利用してもよい。例えば、証券や株式等、価格変動を伴う商取引において、ローンを利用した場合返済負担を効率的に把握することができ、取引判断を迅速に行なうことができる。
【００７２】
・　上記実施形態では、ローン管理システム２０がローンシミュレーションを実行する。これに代えて、オークション管理システム３０やユーザ端末１０にローンシミュレーションを実行させてもよい。この場合、オークション管理システム３０やユーザ端末１０にローン条件データ記憶部２２を設けておく。これによっても、ユーザの電子商取引を支援できる。
【００７３】
・　上記実施形態では、表示画面１００を用いて、ユーザが返済期間、ボーナス返済額、返済方法や返済開始月等のローン条件を設定する。これに代えて、予め金融機関等がローン条件を決めておいてもよい。これにより、管理コンピュータ２１は、現在の価格や入札価格に関するローンシミュレーションを効率的に実行できる。ユーザもローン条件を設定する手間を省き、簡単にローン負担を把握できる。
【００７４】
・　上記実施形態では、管理コンピュータ２１は、現在価格の表示処理、最低入札可能価格算出処理、入札価格変更処理を実行する。これに代えて、管理コンピュータ２１は、一部の処理や他の処理の組み合わせ実行してもよい。
【００７５】
【発明の効果】
以上詳述したように、本発明によれば、ローンしての商取引を希望するユーザに対して、ローン負担に関する情報を効率的に提供し、迅速な取引の機会を提供することができる。
【図面の簡単な説明】
【図１】本発明の実施形態のシステム概略図。
【図２】ローン条件データ記憶部に記録されたデータの説明図。
【図３】本発明の実施形態の処理手順の説明図。
【図４】本発明の実施形態の処理手順の説明図。
【図５】本発明の実施形態の処理手順の説明図。
【図６】本発明の実施形態の処理手順の説明図。
【図７】本発明の実施形態の処理手順の説明図。
【図８】ユーザ端末に表示された画面の説明図。
【図９】ユーザ端末に表示された画面の説明図。
【図１０】ユーザ端末に表示された画面の説明図。
【図１１】ユーザ端末に表示された画面の説明図。
【図１２】ユーザ端末に表示された画面の説明図。
【図１３】ユーザ端末に表示された画面の説明図。
【図１４】ユーザ端末に表示された画面の説明図。
【符号の説明】
１０…ユーザ端末、２０…ローン管理システム、２１…管理コンピュータ、２２…ローン条件データ記憶手段としてのローン条件データ記憶部、３０…オークション管理システム、Ｉ…ネットワークとしてのインタ−ネット。
【図１】
2004145425.tif 000003
【図２】
2004145425.tif 000004
【図３】
2004145425.tif 000005
【図４】
2004145425.tif 000006
【図５】
2004145425.tif 000007
【図６】
2004145425.tif 000008
【図７】
2004145425.tif 000009
【図８】
2004145425.tif 000010
【図９】
2004145425.tif 000011
【図１０】
2004145425.tif 000012
【図１１】
2004145425.tif 000013
【図１２】
2004145425.tif 000014
【図１３】
2004145425.tif 000015
【図１４】
2004145425.tif 000016